(57)【要約】【課題】保護カバー及び回路基板を役物ベースにネジ止めする際に、保護カバーのネジ挿通孔の周りにおける回路基板の切欠きに重なる部分が固定用ネジのネジ頭からの圧力で変形するのを防止する。【解決手段】左下側周辺役物ユニット２０を組み立てる作業者は、固定用ネジ２７ｄのオスネジ部３０２を保護カバー２５のネジ挿通孔５７ｄに挿通し、次に電飾基板２６の切欠き６５ｄに挿通し、次に枠部材２１のメスネジ部に螺入して、固定用ネジ２７ｄを締め付けることで、保護カバー２５、電飾基板２６及び枠部材２１を組み立てた状態で固定する。保護カバー２５のネジ挿通孔５７ｄの近傍には、電飾基板２６の切欠き６５ｄに挿入して先端部が前記枠部材２１のメスネジ部の近傍に当接する突起部７４が突出して形成されている。【選択図】図６
2010264006.tif 000002
【特許請求の範囲】
【請求項１】
基端側にネジ頭を有し先端側にオスネジ部を有する固定用ネジと、
一方の板面に電気部品を実装し、他方の板面に半田付けにより前記電気部品の端子と電気的に接続する印刷配線が設けられ、前記固定用ネジの前記オスネジ部が挿通される切欠きが側縁から形成された回路基板と、
前記回路基板の他方の板面を覆うことが可能な形状に形成されるとともに、当該回路基板の他方の板面を覆った状態で前記切欠きと重なる位置に前記固定用ネジの前記オスネジ部が挿通されるネジ挿通孔が形成された保護カバーと、
前記回路基板の一方の板面と対向した状態で当該回路基板が取り付けられるとともに、当該回路基板が取り付けられた状態で前記切欠きと重なる位置に前記固定用ネジの前記オスネジ部が螺入されるメスネジ部が形成された役物ベースと、
を備え、前記固定用ネジの前記オスネジ部が前記保護カバーの前記ネジ挿通孔に挿通され、次に前記回路基板の前記切欠きに挿通され、次に前記役物ベースの前記メスネジ部に螺入されて、前記固定用ネジが締め付けられることで、前記保護カバー、前記回路基板及び前記役物ベースが組み立てられた状態で固定される遊技機用役物装置であって、
前記保護カバーの前記ネジ挿通孔の近傍と前記役物ベースの前記メスネジ部の近傍とのうち一方には、前記保護カバー、前記回路基板及び前記役物ベースが組み立てられた状態で前記回路基板の前記切欠きに挿入して先端部が前記役物ベースの前記メスネジ部の近傍と前記保護カバーの前記ネジ挿通孔の近傍とのうち他方に当接する突起部が突出して形成されていることを特徴とする遊技機用役物装置。
【請求項２】
前記突起部の前記切欠きに挿入される位置は、前記切欠きの前記オスネジ部が挿通される位置より前記回路基板の前記側縁側であることを特徴とする請求項１に記載の遊技機用役物装置。
【請求項３】
前記電気部品は照明光を発光する発光ダイオードであり、前記役物ベースには、前記発光ダイオードからの照明光を外側に透過させる透光部が設けられていることを特徴とする請求項１または２に記載の遊技機用役物装置。
【発明の詳細な説明】
【技術分野】
【０００１】
本発明は遊技機に用いられ回路基板の印刷配線が設けられた面を保護カバーで覆う構造の遊技機用役物装置に関する。
【背景技術】
【０００２】
従来、パチンコ機と呼ばれる遊技機は、遊技球が図示しない球送り装置によって１球ずつ発射レール上に送り出され、送り出された遊技球が打球発射装置に打ち出されて遊技盤の案内レールの外レールに沿って遊技領域に導かれ、この遊技領域に導かれた遊技球が入賞口に入賞することで所定数の賞球を払い出すようになっている。
【０００３】
また、パチンコ機の遊技盤には、各種の遊技機用役物装置が配設されている。各種遊技機用役物装置は、それぞれ役物ベースの表面や内部に遊技演出（発光演出や可動体演出など）を実行する演出装置を備えたものや、遊技球の入賞口を備えたものがある。そして、前記遊技機用役物装置が遊技盤に配設された状態では、前記役物ベースの裏面に備えられた回路基板が、遊技盤の裏面に配置する。
【０００４】
遊技機用役物装置の回路基板は、その前面にＬＥＤ、抵抗、コンデンサ等の電子部品が実装され、裏面が半田面となっている。そして、この半田面に遊技球やビス等の金属部品が接触すると回路基板が電気的に短絡する虞があるため、遊技盤の裏側には半田面（回路基板の裏面）を覆い保護するための保護カバーが設けられている。
【０００５】
このような構造の遊技機用役物装置の一例として、遊技盤の周辺部に装着されて発光演出を行うサイドランプがある。サイドランプは、一般的に、役物ベースと、該役物ベースの表側に設けられるレンズカバーと、役物ベースの裏側に設けられる回路基板としてのＬＥＤ基板（電飾基板）と、ＬＥＤ基板の裏側に設けられる透明の保護カバーとから主に構成されている（例えば、特許文献１参照）。
【０００６】
前記保護カバー及び前記ＬＥＤ基板には、役物ベースとの位置決めを行う位置決め用突起挿通孔が双方共に形成されるとともに、役物ベースにネジ止めするための固定用ネジのオスネジ部が挿通するネジ挿通孔が双方共に形成されている。前記役物ベースには、前記保護カバー及び前記ＬＥＤ基板に形成されたネジ挿通孔に挿入する位置決め用突起と、前記保護カバー及び前記ＬＥＤ基板に挿通した前記固定用ネジのオスネジ部が螺入されることで前記保護カバー及び前記ＬＥＤ基板がネジ止めされるネジ止め用ボスが形成されている。サイドランプは、役物ベースと保護カバーの間に前記ＬＥＤ基板を挟んだ状態で前記位置決め用突起によりこれら各部品の位置決が行われ、前記固定用ネジによりネジ止めされて前記各部品が固定される。
【０００７】
ここで、近年、パチンコ機では高密度で各種遊技用部材を搭載するようになってきており、サイドランプにおいても、ＬＥＤ基板により多くのＬＥＤ等の電子部品を実装することが望まれている。このため、前記ＬＥＤ基板にネジ挿通孔を設ける代わりに、ＬＥＤ基板の側縁から形成された切欠きに固定用ネジのオスネジ部を挿通することで、ＬＥＤ基板におけるネジ止めの位置を側縁側にずらして電子部品を実装する面積の割合を増大させる方法が考えられている。
【先行技術文献】
【特許文献】
【０００８】
【特許文献１】特開２００６−１４１５６９号公報（段落００２２、段落００２６、図４、図５）
【発明の概要】
【発明が解決しようとする課題】
【０００９】
従来のＬＥＤ基板（回路基板）の縁から形成された切欠きに固定用ネジのオスネジ部を挿通することで、ＬＥＤ基板におけるネジ止めの位置を側縁側にずらして電子部品を実装する面積の割合を増大させる方法では、保護カバー及びＬＥＤ基板を役物ベースにネジ止めする際に、固定用ネジのオスネジ部を保護カバーのネジ挿通孔に挿通し、次にＬＥＤ基板の切欠きに挿通し、次に役物ベースのネジ止め用ボスに螺入して固定用ネジを締め付けることになるが、保護カバーのネジ挿通孔の周りの前記切欠きに重なる部分には、固定用ネジを締め付ける際に、ＬＥＤ基板の板面による支えが無い状態で固定用ネジのネジ頭から強い圧力が加わるため、この部分が変形し白化し、強度が低下し、破損する場合も多々あった。
【００１０】
本発明は、上記の問題に鑑み、保護カバーのネジ挿通孔及び回路基板の切欠きに固定用ネジのオスネジ部を連続して挿通して前記保護カバー及び前記回路基板を役物ベースにネジ止めする際に、前記保護カバーの前記ネジ挿通孔の周りの前記切欠きに重なる部分が前記固定用ネジのネジ頭からの圧力で変形するのを防止できる遊技機用役物装置を提供することを目的とする。
【課題を解決するための手段】
【００１１】
請求項１に記載の遊技機用役物装置は、基端側にネジ頭を有し先端側にオスネジ部を有する固定用ネジと、一方の板面に電気部品を実装し、他方の板面に半田付けにより前記電気部品の端子と電気的に接続する印刷配線が設けられ、前記固定用ネジの前記オスネジ部が挿通される切欠きが側縁から形成された回路基板と、前記回路基板の他方の板面を覆うことが可能な形状に形成されるとともに、当該回路基板の他方の板面を覆った状態で前記切欠きと重なる位置に前記固定用ネジの前記オスネジ部が挿通されるネジ挿通孔が形成された保護カバーと、前記回路基板の一方の板面と対向した状態で当該回路基板が取り付けられるとともに、当該回路基板が取り付けられた状態で前記切欠きと重なる位置に前記固定用ネジの前記オスネジ部が螺入されるメスネジ部が形成された役物ベースと、を備え、前記固定用ネジの前記オスネジ部が前記保護カバーの前記ネジ挿通孔に挿通され、次に前記回路基板の前記切欠きに挿通され、次に前記役物ベースの前記メスネジ部に螺入されて、前記固定用ネジが締め付けられることで、前記保護カバー、前記回路基板及び前記役物ベースが組み立てられた状態で固定される遊技機用役物装置であって、前記保護カバーの前記ネジ挿通孔の近傍と前記役物ベースの前記メスネジ部の近傍とのうち一方には、前記保護カバー、前記回路基板及び前記役物ベースが組み立てられた状態で前記回路基板の前記切欠きに挿入して先端部が前記役物ベースの前記メスネジ部の近傍と前記保護カバーの前記ネジ挿通孔の近傍とのうち他方に当接する突起部が突出して形成されていることを特徴とする。
前記突起部の前記切欠きに挿入される位置は、前記切欠きの前記オスネジ部が挿通される位置より前記回路基板の前記側縁側であることを特徴とする（請求項２）。
前記電気部品は照明光を発光する発光ダイオードであり、前記役物ベースには、前記発光ダイオードからの照明光を外側に透過させる透光部が設けられていることを特徴とする（請求項３）。
【００１２】
いずれの場合にも、前記保護カバーの前記ネジ挿通孔の近傍と前記役物ベースの前記メスネジ部の近傍とのうち一方に形成された突起部が前記回路基板の前記切欠きに挿入し、当該突起部の先端部が前記役物ベースの前記メスネジ部の近傍と前記保護カバーの前記ネジ挿通孔の近傍とのうち他方に当接するので、保護カバーのネジ挿通孔及び回路基板の切欠きにネジのオスネジ部を連続して挿通して前記保護カバー及び前記回路基板を役物ベースにネジ止めする際に、前記保護カバーの前記ネジ挿通孔の周りの前記切欠きに重なる部分が、前記突起部に支えられて、前記固定用ネジのネジ頭からの圧力で変形するのを防止できる。
【００１３】
前記保護カバー、前記回路基板及び前記役物ベースには、ネジ止めを行う前の仮固定を行う構造を設けることが好ましいが、特に限定はない。
【００１４】
前記保護カバー、前記回路基板及び前記役物ベースのネジ止めを行う位置は、互いに離れた２個所以上に設けることが好ましいが、特に限定はない。
従来の保護カバーのネジ挿通孔及び回路基板の切欠きに固定用ネジのオスネジ部を連続して挿通して前記保護カバー及び前記回路基板を役物ベースにネジ止めする構造では、固定用ネジを締め付ける際に前記保護カバーのネジ挿通孔の周りの前記切欠きに重なる部分がＬＥＤ基板の板面による支えが無い状態で固定用ネジのネジ頭から強い圧力が加わるため、この部分が変形し白化し、強度が低下し、破損する場合も多々あった。
これに対し、本発明では、前記保護カバーの前記ネジ挿通孔近傍に形成された突起部が前記回路基板の前記切欠きに挿入し、当該突起部の先端部が前記役物ベースの前記メスネジ部の近傍に当接するので、保護カバーのネジ挿通孔及び回路基板の切欠きにネジのオスネジ部を連続して挿通して前記保護カバー及び前記回路基板を役物ベースにネジ止めする際に、前記保護カバーの前記ネジ挿通孔の周りの前記切欠きに重なる部分が前記固定用ネジのネジ頭からの圧力で変形するのを防止でき、この部分の白化、強度が低下及び破損を防止できる。
【発明の効果】
【００１５】
本発明によれば、前記保護カバーの前記ネジ挿通孔近傍に形成された突起部が前記回路基板の前記切欠きに挿入し、当該突起部の先端部が前記役物ベースの前記メスネジ部の近傍に当接するので、保護カバーのネジ挿通孔及び回路基板の切欠きにネジのオスネジ部を連続して挿通して前記保護カバー及び前記回路基板を役物ベースにネジ止めする際に、前記保護カバーの前記ネジ挿通孔の周りの前記切欠きに重なる部分が前記固定用ネジのネジ頭からの圧力で変形するのを防止でき、この部分の白化、強度が低下及び破損を防止でし、ネジ止め時の不良品の発生率を大きく低下させることができる。
【図面の簡単な説明】
【００１６】
【図１】本発明に係る実施形態の遊技機の構成例を示した正面図である。
【図２】本発明に係る実施形態の制御手段のブロック図である。
【図３】本発明に係る実施形態の遊技盤を示す正面図である。
【図４】本発明に係る実施形態の左下側周辺役物ユニットを示す分解斜視図である。
【図５】本発明に係る実施形態の左下側周辺役物ユニットを示す組み立てた状態の斜視図である。
【図６】本発明に係る実施形態の左下側周辺役物ユニットの上部を示す右斜め前方から見た分解斜視図である。
【図７】本発明に係る実施形態の左下側周辺役物ユニットの上部を示す右斜め後方から見た分解斜視図である。
【図８】本発明に係る実施形態の左下側周辺役物ユニットの上部を示す右斜め前方から見た斜視図である。
【図９】本発明に係る実施形態の左下側周辺役物ユニットの上部を示す右斜め後方から見た斜視図である。
【図１０】本発明に係る実施形態の左下側周辺役物ユニットの上部を示す正面図である。
【図１１】図１０のＡ−Ａ線断面図である。
【発明を実施するための形態】
【００１７】
以下、本発明の実施形態について図面を参照しながら具体的に説明する。
【００１８】
図１は  遊技機の構成例を示した正面図である。
【００１９】
初めに遊技機全体の説明をする。図１において、遊技機１の遊技盤１０１の下方位置には、発射部２９２（図２参照）を備える操作ハンドル１１３が配置され、発射部２９２の駆動によって発射された遊技球がレール１０２ａ、１０２ｂ間を上昇して遊技盤１０１の上部位置に達した後、遊技領域１０３内を落下する。遊技領域１０３には、遊技球を不特定の方向に向けて落下させるための複数の釘に加え、遊技球の落下方向を変化させる風車や入球口が配置されている。
【００２０】
遊技領域１０３の中央部分には例えば液晶表示器（ＬＣＤ）を用いた図柄表示部１０４が配置されている。図柄表示部１０４の下方には遊技球を受入れ可能な第１始動口１０５が配置され、第１始動口１０５の下方には一対の可動片１２０ａ（図３参照）を有する第２始動口１２０が配置されている。第２始動口１２０は一対の可動片１２０ａ（図３参照）が閉状態のときに遊技球の受入れを困難にし、開状態のときに第１始動口１０５よりも遊技球の受入れを容易にする。
【００２１】
図柄表示部１０４の左側には、遊技球の通過を検出し、第２始動口１２０を一定時間だけ開放させる普通図柄の抽選を行うための入賞ゲート１０６が配置されている。入賞ゲート１０６の下方位置等には、遊技球が入球したときに所定数（例えば１０個）の賞球払い出しの権利を獲得する普通入賞口１０７ａ、１０７ｂ、１０７ｃが配置されている。遊技領域１０３の最下部にはどの入球口にも入球しなかった遊技球を回収する回収口１０８が配置されている。
【００２２】
図柄表示部１０４の右下には、遊技球が入球したときに所定数（例えば１０個）の賞球払い出しの権利を獲得する普通入賞口１０７ｄが配置されている。
【００２３】
さらに、普通入賞口１０７ｄの下には、主制御基板２０１（図２参照）に設けられた第１特別図柄抽選手段による抽選結果を表示する第１特別図柄表示器８２（図３参照）、及び主制御基板２０１（図２参照）に設けられた第２特別図柄抽選手段による抽選結果を表示する第２特別図柄表示器８３（図３参照）が配置されている。これら両表示器８２、８３には特別図柄が変動表示されていると共に、所定時間経過後に所定の図柄が停止表示され、始動口への遊技球の入球を契機とする抽選の結果が表示されている。両表示器８２、８３には複数のＬＥＤが使用され、特別図柄の変動表示の開始に伴ってＬＥＤが点滅することで、現在抽選中であるかのような印象を遊技者に与える。所定時間経過後には、抽選結果に応じて予め設定されたＬＥＤが点灯表示し、遊技者に抽選結果が報知されている。
【００２４】
特別図柄の変動表示中に第１始動口１０５、あるいは第２始動口１２０に遊技球が入球すると、当該入球によって得られる特別図柄の変動表示の権利（以下「保留球」という）が留保されている。この留保された保留球の数は第１特別図柄保留表示器８４（図３参照）及び第２特別図柄保留表示器８５（図３参照）に表示されている。
【００２５】
特別図柄の変動表示中に入賞ゲート１０６に遊技球が入球すると、普通図柄抽選手段による抽選が行われるが、この抽選結果を表示する普通図柄表示器８１（図３参照）が上記両表示器８２、８３の付近に配置されている。普通図柄の変動表示中に入賞ゲート１０６に遊技球が入球することによって得られる普通図柄の変動表示の権利、すなわち保留球の数が普通図柄保留表示器８６（図３参照）に表示されている。
【００２６】
図柄表示部１０４は第１始動口１０５、または第２始動口１２０に遊技球が入球したときに複数の装飾図柄の変動表示を開始し、所定時間経過後に当該装飾図柄の変動を停止させる。停止時に特定図柄（例えば「７７７」）が揃えば、大当たり遊技（長当たり遊技）を実行する権利を獲得したこととなり、その後、大当たり遊技（長当たり遊技）が開始される。大当たり遊技（長当たり遊技）が開始されると、遊技領域１０３の下方に位置する大入賞口ユニット９における開閉扉９１が一定時間、開放する動作を所定回数（例えば１５回）繰り返し、入球した遊技球に対応する賞球が払い出されている。
【００２７】
大入賞口ユニット９は遊技盤１０１に設けられた大入賞口９３を開閉する開閉扉９１を開閉自在に支持し、開閉扉９１が大入賞口９３の前面（表面）側に位置した状態で、遊技盤１０１の背面に設置されている。開閉扉９１は通常時には閉鎖して大入賞口９３を閉塞しており、大入賞口９３に遊技球が入球することを阻止している。大当たり遊技が開始されたときには、大入賞口開閉ソレノイドへの通電により開閉扉９１が開放して大入賞口９３を開放させる。大入賞口９３の開放時には、開閉扉９１が遊技球を大入賞口９３内に導くための受け皿として機能するため、大入賞口９３に遊技球が入球可能となる。
【００２８】
遊技盤１０１の外周部分には遊技領域１０３の周囲を囲む形状で、遊技盤１０１から遊技者側に突出する形状の枠部材１１０が配置され、枠部材１１０の上側と下側には複数のライト１１２を備えた演出ライト１１１（ランプユニット）が設置されている。
【００２９】
枠部材１１０の下側には、図示しない貸し玉装置から貸し出されている遊技球が供給されている受け皿ユニット１１９が設置されている他、前述の操作ハンドル１１３が配置されている。操作ハンドル１１３は遊技盤１０１から遊技者側へ突出し、上記発射部の駆動によって遊技球を発射させる際に遊技者によって操作されている。
【００３０】
操作ハンドル１１３は上記発射部を駆動させて遊技球を発射させる発射指示部材１１４を備えている。発射指示部材１１４は操作ハンドル１１３の外周部に、遊技者から見て右回りに回転可能に設けられ、遊技者によって直接操作されているときに発射部に遊技球発射の指示を与える。操作ハンドル１１３には遊技者が発射指示部材１１４を直接操作していることを検出するセンサ等が内蔵されている。
【００３１】
図柄表示部１０４の上側及び側方（図１においては紙面右側）には、演出用の役物（以下、「演出役物」という）１１５、１１６が配置されている。演出役物１１５、１１６は例えばモータによって駆動されるようになっている。
【００３２】
枠部材１１０の下側にはまた、遊技者による操作を受け付けるチャンスボタン１１７が配置されている。チャンスボタン１１７の操作は例えば遊技中における特定のリーチ演出に際し、チャンスボタン１１７の操作を促すガイダンスが表示されている間有効となる。
【００３３】
枠部材１１０には、演出効果音、または不正を知らしめる音声を出力するスピーカ２７７（図２参照）が組み込まれている。スピーカ２７７は高音・中音・低音の領域を出力できる機能を有し、通常演出時は高音・中音・低音をバランス良く出力するが、後述する特別演出時、または不正等があった場合には周りに良く聞こえるように高音領域を高く出力するように制御されている。
（制御手段の内部構成）
図２に遊技機１の制御手段の内部構成を示すが、ここに示すように制御手段２００は主に主制御基板２０１、副制御基板２０２、賞球制御基板２０３、及びランプ制御基板２０６の複数の制御基板から構成されている。
【００３４】
主制御基板２０１は遊技機１の遊技に関する基本動作を制御し、ＲＯＭ２０１ｂに記憶されたプログラムに基づき、遊技内容の進行に伴う基本処理を実行するＣＰＵ２０１ａと、ＣＰＵ２０１ａの演算処理時におけるデータのワークエリアとして機能するＲＡＭ２０１ｃ等を備える。主制御基板２０１は第１始動口１０５、もしくは第２始動口１２０への遊技球の入球を契機として、大当たり抽選を行うと共に、その抽選結果に基づいてＲＯＭ２０１ｂに記憶されている演出に係わるコマンドの選択を行う。
【００３５】
主制御基板２０１の入力側には、第１始動口１０５に遊技球が入球したことを検出する第１始動口検出部２２１と、第２始動口１２０に遊技球が入球したことを検出する第２始動口検出部２２５と、入賞ゲート１０６を遊技球が通過したことを検出するゲート検出部２２２と、普通入賞口１０７ａ、１０７ｂ、１０７ｃに入球した遊技球を検出する普通入賞口検出部２２３と、大入賞口ユニット９に入球した遊技球を検出する大入賞口検出部２２４とが接続されている。
【００３６】
主制御基板２０１の出力側には役物作動装置２３１が接続されている。本実施形態においては上記役物作動装置２３１を、開閉扉９１を開閉させる大入賞口開閉ソレノイド（駆動装置）と、第２始動口１２０を開閉させる第２始動口開閉ソレノイドとによって構成している。
【００３７】
役物作動装置２３１は主制御基板２０１によって制御され、大当たり遊技（長当たり遊技、短当たり遊技）時に大入賞口開閉ソレノイド９７に通電して開閉扉９１を開放させ、また上記普通図柄の当選によって第２始動口開閉ソレノイドに通電して第２始動口１２０を開閉する。
【００３８】
副制御基板２０２の入力側には上記のチャンスボタン１１７が操作されたことを検出するチャンスボタン検出部２２０が接続されている。この副制御基板２０２は主に遊技中における演出を制御し、主制御基板２０１より送信されているコマンドに基づいて演出の抽選及び演出処理を実行するＣＰＵ２０２ａと、プログラム及び過去の演出パターンを記憶するＲＯＭ２０２ｂと、ＣＰＵ２０２ａの演算処理時におけるデータのワークエリアとして機能するＲＡＭ２０２ｃ等を備えている。
【００３９】
副制御基板２０２は主制御基板２０１より送信されている演出に係るコマンドを受信すると、このコマンドに基づいて抽選を行い、演出背景パターン、リーチ演出パターン、登場キャラクター等の演出を確定すると共に、当該確定した演出の制御を行う。副制御基板２０２の出力側には図柄表示部１０４が接続され、抽選によって決定された内容の通りに図柄表示部１０４において装飾図柄演出を展開する。副制御基板２０２には図柄表示部１０４に表示させる画像データを書き込むＶＲＡＭ２０２ｄも備えられている。
【００４０】
通常時には、ＣＰＵ２０２ａがＲＯＭ２０２ｂに記憶されたプログラムを読み込んで、背景画像表示処理、図柄画像表示及び変動処理、キャラクター画像表示処理など各種画像処理を実行し、必要な画像データをＲＯＭ２０２ｂから読み出してＶＲＡＭ２０２ｄに書き込む。背景画像、図柄画像、キャラクター画像は表示画面上において図柄表示部１０４に重畳表示されている。すなわち、図柄画像やキャラクター画像は背景画像よりも手前に見えるように表示されている。このとき、同一位置に背景画像と図柄画像が重なる場合、Ｚバッファ法等、周知の陰面消去法により各画像データのＺバッファのＺ値を参照することで、図柄画像を優先してＶＲＡＭ２０２ｄに記憶させる。
【００４１】
副制御基板２０２の出力側にはスピーカ２７７が接続され、副制御基板２０２において確定した通りに音声を出力する。副制御基板２０２の出力側にはまた、ランプ２６２、演出ライト１１１及び演出役物作動装置２５４を制御するランプ制御基板２０６が接続されている。演出役物作動装置２５４は演出役物１１５，１１６等の、演出用の役物を作動させるモータ等によって構成されている。ランプ制御基板２０６は副制御基板２０２より送信されたコマンドに基づき、プログラムを作動させて演出処理を実行するＣＰＵ２０６ａと、各種演出パターンデータを記憶するＲＯＭ２０６ｂと、ＣＰＵ２０６ａの演算処理時におけるデータのワークエリアとして機能するＲＡＭ２０６ｃ等を備えている。
【００４２】
また、ランプ制御基板２０６は遊技盤１０１や台枠等に設けられている後述の発光ダイオード６７、３０９等の各種ランプ２６２に対する点灯制御等を行う他、演出ライト１１１における複数のライト１１２に対する点灯制御等を行い、各ライト１１２からの光の照射方向を変更するためにモータに対する駆動制御等を行う。ランプ制御基板２０６は、また、副制御基板２０２より送信されたコマンドに基づき、演出役物１１５、１１６を動作させる各種モータに対する駆動制御等を行う。
【００４３】
主制御基板２０１には賞球制御基板２０３が双方向に送信可能に接続されている。賞球制御基板２０３はＲＯＭ２０３ｂに記憶されたプログラムを作動させて賞球制御の処理を実行するＣＰＵ２０３ａと、ＣＰＵ２０３ａの演算処理時におけるデータのワークエリアとして機能するＲＡＭ２０３ｃ等を備え、ＲＯＭ２０３ｂに記憶されたプログラムに基づき、賞球制御を行う。
【００４４】
賞球制御基板２０３は接続されている払出部２９１に対して入球時の賞球数を払い出す制御を行う。また発射部２９２に対する遊技球の発射の操作を検出し、遊技球の発射を制御する。払出部２９１は遊技球の貯留部から所定数を払い出すためのモータ等からなる。
【００４５】
賞球制御基板２０３はこの払出部２９１に対して、各入球口（第１始動口１０５、第２始動口１２０、普通入賞口１０７ａ、１０７ｂ、１０７ｃ、１０７ｄ、大入賞口９３）に入球した遊技球に対応した賞球数を払い出す制御を行う。発射部２９２は遊技者による遊技操作を検出するセンサ（図示しない）と、遊技球を発射させる図示しないソレノイド等を備え、遊技のための遊技球を発射する。賞球制御基板２０３は発射部２９２のセンサにより遊技操作を検出すると、検出された遊技操作に対応してソレノイド等を駆動させて遊技球を間欠的に発射させ、遊技盤１０１の遊技領域１０３に遊技球を送り出す。
【００４６】
図３は遊技盤１０１を示す正面図である。
図３において、遊技盤１０１は、ベニヤ板による遊技板３００を基材とし、遊技板３００に形成された複数の貫通部に各種役物を挿入して取り付け固定している。遊技盤１０１には、レール１０２ｂの左下側内周に近接して左下側周辺役物ユニット２０が設けられている。
【００４７】
左下側周辺役物ユニット２０は、枠部材２１（板状部材）に普通入賞口１０７ａ、１０７ｂ、１０７ｃを設けたものである。
【００４８】
図４は左下側周辺役物ユニット２０を示す分解斜視図である。
図４において、左下側周辺役物ユニット２０は、枠部材２１と、透光レンズ板２２ａ、２２ｂ（板状部材）と、普通入賞口外側ユニット２３ａ、２３ｂ、２３ｃと、前後の保護カバー２４、２５と、電飾基板２６と、固定用ネジ２７ａ、２７ｂ、２７ｃ、２７ｄとから構成されている。保護カバー２４、２５と電飾基板２６は、固定用ネジ２７ａ、２７ｂ、２７ｃ、２７ｄによって枠部材２１の裏面にネジ止め固定される。
【００４９】
枠部材２１には、下側外周が略円周形状に形成され、上側外周の右寄りに普通入賞口外側ユニット２３ａ、２３ｂ、２３ｃを取り付ける半楕円形状の取り付け部３１ａ、３１ｂ、３１ｃが上方に突出して設けられている。枠部材２１の前面の上側には、遊技球を誘導するための湾曲及び折曲したレール３２が設けられている。枠部材２１の前面の下側及び上側には、透光レンズ板２２ａ、２２ｂがはめ込まれる窓部３３ａ、３３ｂが設けられている。
【００５０】
取り付け部３１ａ、３１ｂ、３１ｃには、遊技球が通過する切欠き３４ａ、３４ｂ、３４ｃが形成されている。切欠き３４ａ、３４ｂ、３４ｃの内周は前方から見てＵ字形状に形成されている。取り付け部３１ａ、３１ｂ、３１ｃには、後方から見てＵ字形状の曲面部３５ａ、３５ｂ、３５ｃが後方に突出して形成されている。曲面部３５ａ、３５ｂ、３５ｃの内周のサイズは、それぞれ切欠き３４ａ、３４ｂ、３４ｃの内周と一致している。切欠き３４ａ、３４ｂ、３４ｃの左右には、取り付け部３１ａ、３１ｂ、３１ｃにそれぞれ普通入賞口外側ユニット２３ａ、２３ｂ、２３ｃをネジ止めするためのネジ３６のオスネジ部が挿通されるネジ挿通孔３７が形成されている。
【００５１】
枠部材２１のレール３２の下側には、光を透過させる透光部３８が接着により取り付けられている。
【００５２】
枠部材２１の背面には、固定用ネジ２７ａ、２７ｂ、２７ｃ、２７ｄのオスネジ部が螺入される四本のボス３９ａ、３９ｂ、３９ｃ、３９ｄが後方に突出して形成されている。
【００５３】
前後の保護カバー２４、２５と電飾基板２６は正面側から見た外形が同じ形状に形成されている。この形状は枠部材２１の外形よりも小形に形成されている。
【００５４】
保護カバー２４は、透明プラスチック等の透明の素材で金型形成されたものであり、前面を構成する平面部４１と及遊技盤１０１（図３参照）の内周側に配置する内周側壁部４２と遊技盤１０１（図３参照）の外周側に配置する外周側壁部４３と備え、背面側が凹部となり電飾基板２６の正面側を覆うようになっている。保護カバー２４の内周側壁部４２には、枠部材２１の曲面部３５ａ、３５ｂ、３５ｃの下側が挿入される溝部４４ａ、４４ｂ、４４ｃと、ボス３９ａ、３９ｂ、３９ｄが挿入される溝部４５ａ、４５ｂ、４５ｄが形成されている。保護カバー２４の外周側壁部４３には、ボス３９ｃが挿入される溝部４５ｃが形成されている。内周側壁部４２の後端面の下側及び上側には、電飾基板２６の位置決めを行うための位置決め用突起４６ａ、４６ｂが設けられている。
【００５５】
保護カバー２５は、透明プラスチック等の透明の素材で金型形成されたものであり、背面を構成する平面部５１と及遊技盤１０１（図３参照）の内周側に配置する内周側壁部５２と遊技盤１０１（図３参照）の外周側に配置する外周側壁部５３と備え、前面側が凹部となり電飾基板２６の背面側を覆うようになっている。
【００５６】
保護カバー２５の内周側壁部５２には、遊技球の通過する溝部５４ａ、５４ｂ、５４ｃ及び左右の壁部５５ａ、５５ｂ、５５ｃが形成されている。溝部５４ａ、５４ｂ、５４ｃの縁及び左右の壁部５５ａ、５５ｂ、５５ｃの前側には、前方から見てＵ字形状の曲面部５６ａ、５６ｂ、５６ｃが形成されている。保護カバー２５の溝部５４ａ、５４ｂ、５４ｃ及び左右の壁部５５ａ、５５ｂ、５５ｃの内周のサイズは、枠部材２１の曲面部３５ａ、３５ｂ、３５ｃの内周と一致している。また、保護カバー２５の内周側壁部５２には、固定用ネジ２７ａ、２７ｂ、２７ｄのオスネジ部が挿通されるネジ挿通孔５７ａ、５７ｂ、５７ｄが形成されている。保護カバー２５の外周側壁部５３には、固定用ネジ２７ｃのオスネジ部が挿通されるネジ挿通孔５７ｃが形成されている。内周側壁部５２と外周側壁部５３の間の下側及び上側にコーナーには、位置決め用突起４６ａ、４６ｂが挿入される位置決め用突起挿入穴５８ａ、５８ｂが形成されている。
【００５７】
電飾基板２６は、絶縁基板６１に内周側縁部６２及び外周側縁部６３を形成したものである。内周側縁部６２及び外周側縁部６３は、前方から見て保護カバー２４の内周側壁部４２及び外周側壁部４３と外周と略同形状になっている。
【００５８】
電飾基板２６の内周側縁部６２には、曲面部５６ａ、５６ｂ、５６ｃの下側が挿入される切欠き６４ａ、６４ｂ、６４ｃが形成されている。また、電飾基板２６の内周側縁部６２には、固定用ネジ２７ａ、２７ｂ、２７ｄのオスネジ部が挿通される切欠き６５ａ、６５ｂ、６５ｄが形成されている。電飾基板２６の外周側縁部６３には、固定用ネジ２７ｃのオスネジ部が挿通されるネジ挿通孔６５ｃが形成されている。内周側縁部６２と外周側縁部６３の間の下側及び上側にコーナーには、位置決め用突起４６ａ、４６ｂが挿通される位置決め用突起挿通孔６６ａ、６６ｂが形成されている。
【００５９】
電飾基板２６の正面には、発光ダイオード６７が複数設けられている。電飾基板２６の背面にはコネクタメス部６８が設けられている。保護カバー２５には、コネクタメス部６８を露出させる切欠き５９が設けられている。
【００６０】
普通入賞口外側ユニット２３ａは、透明性を有し上方が開放され入賞口の一部を形成し、遊技球を遊技機内部に導入する導入部４０１と、前記導入部４０１の前方に配置され、透明性を有する前面飾り板４０２と、前記導入部４０１に前記前面飾り板４０２を固定する固定手段としての枠状部４０３と、前記導入部４０１と前記前面飾り板４０２との間に介在し、特定方向に振動する光のみ透過させる偏光フィルム４０４とを備え、ネジ４０５、４０６により組み立てられるようになっている。
また、図４に示した普通入賞口外側ユニット２３ｂ、２３ｃも、普通入賞口外側ユニット２３ａと同じ構造になっている。
【００６１】
図５は左下側周辺役物ユニット２０を示す組み立てた状態の斜視図である。
図５において、枠部材２１の裏面には、保護カバー２４、２５と、電飾基板２６が、図４に示した固定用ネジ２７ａ、２７ｂ、２７ｃ、２７ｄによってネジ止め固定されている。
【００６２】
図５において、枠部材２１の窓部３３ａ、３３ｂには、透光レンズ板２２ａ、２２ｂがはめ込まれ、保護カバー２４により背面から押さえられることで完全に取り付け固定されている。
【００６３】
前記枠部材２１と透光レンズ板２２ａ、２２ｂは透明性を有する部分がある板状部材になっている。この場合の透明性を有する部分とは、透光レンズ板２２ａ、２２ｂのことである。
【００６４】
取り付け部３１ａ、３１ｂ、３１ｃの前面には、普通入賞口外側ユニット２３ａ、２３ｂ、２３ｃがネジ止めされている。
【００６５】
普通入賞口外側ユニット２３ａ、２３ｂ、２３ｃと、取り付け部３１ａ、３１ｂ、３１ｃの切欠き３４ａ、３４ｂ、３４ｃ及び曲面部３５ａ、３５ｂ、３５ｃと、保護カバー２５の曲面部５６ａ、５６ｂ、５６ｃ、溝部５４ａ、５４ｂ、５４ｃ及び左右の壁部５３ａ、５３ｂ、５３ｃとは、普通入賞口１０７ａ、１０７ｂ、１０７ｃを形成している。
【００６６】
このような構造により、普通入賞口１０７ａ、１０７ｂ、１０７ｃは、前記枠部材２１と透光レンズ板２２ａ、２２ｂによる板状部材に配置されている。
【００６７】
以下、本実施形態の要部となる左下側周辺役物ユニット２０のネジ止め構造について詳細に説明する。
【００６８】
図６は、左下側周辺役物ユニット２０の上部を示す右斜め前方から見た分解斜視図である。図７は、左下側周辺役物ユニット２０の上部を示す右斜め後方から見た分解斜視図である。
【００６９】
図６において、固定用ネジ２７ｄは、基端側にネジ頭３０１を有し先端側にオスネジ部３０２を有する。
【００７０】
電飾基板２６は、回路基板であり、正面となる一方の板面に電気部品として複数の発光ダイオード６７を実装し、背面となる他方の板面にコネクタメス部６８が設けられるとともに、半田付けにより前記発光ダイオード６７及びコネクタメス部６８の端子と電気的に接続する印刷配線３３１（図７参照）が設けられている。
【００７１】
電飾基板２６の内周側縁部６２の切欠き６５ａは、位置決め用突起挿通孔６６ｂの右隣に形成されている。切欠き６５ａは、内周側縁部６２から絶縁基板６１の板面を斜め左下方向に切り欠いた形状の形成されている。
【００７２】
図７において、保護カバー２５の背面右上側には、平面部５１及び内周側壁部５２を凹ませて凹部７１が形成されており、凹部７１の奥面がネジ締着部７２になっている。  ネジ締着部７２には、ネジ挿通孔５７ｄが形成されている。  ネジ締着部７２は、内周側壁部５２の一部になっている。
【００７３】
図６において、ネジ締着部７２の前面側は、内周側壁部５２の他の前端面と同一の平面上に形成された平面部７３になっている。平面部７３におけるネジ挿通孔５７ｄの右斜め上側の近傍の位置には、円柱状の突起部７４が前方に突出して形成されている。突起部７４の先端部７５は、前方に向いた平面になっている。突起部７４は、前記電飾基板２６の前記切欠き６５ｄに挿入して先端部７５が図７に示す前記枠部材２１のボス３９ｄの先端面３２１におけるメスネジ部３２２の近傍に当接する。また、図６において、内周側壁部５２のネジ挿通孔５７ｄの左側には、位置決め用突起挿入穴５８ｂが形成されている。
【００７４】
図７において、保護カバー２４の右上側には、内周側壁部４２を凹ませて溝部４５ｄが形成されている。内周側壁部４２の左側には、位置決め用突起４６ｂが後方に突出して設けられている。
【００７５】
枠部材２１の上側の窓部３３ａには、透光レンズ板２２ｂがはめ込まれている。枠部材２１の窓部３３ａの上側には、円柱形状のボス３９ｄが後方に突出して形成されている。ボス３９ｄには、円形の平面となる先端面３２１の中心からメスネジ部３２２が前記円柱形状の中心軸に沿って形成されている。メスネジ部３２２は、ネジ穴になっている。
【００７６】
また、枠部材２１の背面には、内周側壁部３２３及び外周側壁部３２４が形成されている。内周側壁部３２３及び外周側壁部３２４は、後方から見て保護カバー２４の内周側壁部４２及び外周側壁部４３と略同形状になっている。枠部材２１の内周側壁部３２３及び外周側壁部３２４より外側は、遊技板３００（図３参照）の前面に密着するフランジ部３１１になっている。フランジ部３１１の上部には、遊技板３００（図３参照）との位置決めを行うための位置決め用突起３１２と、遊技板３００（図３参照）にネジ止めするための枠部材２１のネジ挿通孔３１３が形成されている。
【００７７】
尚、図４に示したボス３９ａ、３９ｂ、３９ｃについても、図７に示すボス３９ｄと同様の先端面３２１及びメスネジ部３２２が形成されている、図４に示した保護カバー２５のネジ挿通孔５７ａ、５７ｂ、５７ｃの周辺部は、図６及び図７に示すネジ挿通孔５７ｄの周辺部と同様の構造になっている。即ち、保護カバー２５のネジ挿通孔５７ａ、５７ｂ、５７ｃの近傍には、前記電飾基板２６の前記切欠き６５ａ、６５ｂ、６５ｃに挿入して先端部７５が前記枠部材２１のボス３９ａ、３９ｂ、３９ｃの先端面３２１におけるメスネジ部３２２の近傍に当接する突起部７４が突出して形成されている。
【００７８】
以下、左下側周辺役物ユニット２０を組み立てる方法について説明する。
【００７９】
図８は、左下側周辺役物ユニット２０の上部を示す右斜め前方から見た斜視図である。図９は、左下側周辺役物ユニット２０の上部を示す右斜め後方から見た斜視図である。図１０は、左下側周辺役物ユニット２０の上部を示す正面図である。図１１は、図１０のＡ−Ａ線断面図である。
【００８０】
左下側周辺役物ユニット２０を組み立てる場合には、まず、図４に示す保護カバー２４の位置決め用突起４６ａ、４６ｂを、電飾基板２６の位置決め用突起挿通孔６６ａ、６６ｂに挿通し、保護カバー２５の位置決め用突起挿入穴５８ａ、５８ｂが挿入することで、保護カバー２４、２５に電飾基板２６を挟んだ状態で組み立てる。次に、枠部材２１のボス３９ａ、３９ｂ、３９ｃ、３９ｄを保護カバー２４の溝部４５ａ、４５ｂ、４５ｃ、４５ｄに挿通し、飾基板２６の切欠き６５ａ、６５ｂ、６５ｃ、６５ｄに挿入することで、保護カバー２４、２５、電飾基板２６及び枠部材２１を一体化する。次に、固定用ネジ２７ａ、２７ｂ、２７ｃ、２７ｄのオスネジ部３０２（図７参照）を保護カバー２５のネジ挿通孔５７ａ、５７ｂ、５７ｃ、５７ｄに挿通し、前記電飾基板２６の前記切欠き６５ａ、６５ｂ、６５ｃ、６５ｄに挿通し、ボス３９ａ、３９ｂ、３９ｃ、３９ｄの先端面３２１（図７参照）におけるメスネジ部３２２（図７参照）に螺入してネジ頭３０１（図７参照）を締め付けることで、図８乃至図１１に示すように、保護カバー２４、２５及び電飾基板２６を枠部材２１にネジ止め固定する。
【００８１】
保護カバー２４、２５及び電飾基板２６を枠部材２１にネジ止め固定した状態では、前記保護カバー２５の前記ネジ挿通孔５７ａ、５７ｂ、５７ｃ、５７ｄの近傍に形成された突起部７４が前記電飾基板２６の前記切欠き６５ａ、６５ｂ、６５ｃ、６５ｄに挿入された状態で、図９乃至図１１に示すように当該突起部７４の先端部７５が前記枠部材２１のボス３９ａ、３９ｂ、３９ｃの先端面３２１におけるメスネジ部３２２の近傍に当接する。
【００８２】
以上に説明した構成を纏めて説明すると、左下側周辺役物ユニット２０は、遊技機１に用いられ電飾基板２６の印刷配線３３１が設けられた面を保護カバー２５で覆う構造の遊技機用役物装置になっている。
【００８３】
電飾基板２６は、回路基板であり、一方の板面に電気部品として複数の発光ダイオード６７を実装し、他方の板面にコネクタメス部６８が設けられるとともに、半田付けにより前記発光ダイオード６７及びコネクタメス部６８の端子と電気的に接続する印刷配線３３１が設けられている。
【００８４】
電飾基板２６は、前記固定用ネジ２７ａ、２７ｂ、２７ｃ、２７ｄの前記オスネジ部３０２が挿通される切欠き６５ａ、６５ｂ、６５ｃ、６５ｄが側縁から形成されている。
【００８５】
保護カバー２５は、前記電飾基板２６の他方の板面を覆うことが可能な形状に形成されるとともに、当該電飾基板２６の他方の板面を覆った状態で前記切欠き６５ａ、６５ｂ、６５ｃ、６５ｄと重なる位置に前記固定用ネジ２７ａ、２７ｂ、２７ｃ、２７ｄの前記オスネジ部３０２が挿通されるネジ挿通孔５７ａ、５７ｂ、５７ｃ、５７ｄが形成されている。
【００８６】
枠部材２１は、役物ベースになっており、前記電飾基板２６の一方の板面と対向した状態で当該電飾基板２６が取り付けられるとともに、当該電飾基板２６が取り付けられた状態で前記切欠き６５ａ、６５ｂ、６５ｃ、６５ｄと重なる位置に前記固定用ネジ２７ａ、２７ｂ、２７ｃ、２７ｄの前記オスネジ部３０２が螺入されるメスネジ部３２２が形成されている。
【００８７】
左下側周辺役物ユニット２０は、前記固定用ネジ２７ａ、２７ｂ、２７ｃ、２７ｄの前記オスネジ部３０２が前記保護カバー２５の前記ネジ挿通孔５７ａ、５７ｂ、５７ｃ、５７ｄに挿通され、次に前記電飾基板２６の前記切欠き６５ａ、６５ｂ、６５ｃ、６５ｄに挿通され、次に前記枠部材２１の前記メスネジ部３２２に螺入されて、前記固定用ネジ２７ａ、２７ｂ、２７ｃ、２７ｄが締め付けられることで、前記保護カバー２５、前記電飾基板２６及び前記枠部材２１が組み立てられた状態で固定される。
【００８８】
前記保護カバー２５の前記ネジ挿通孔５７ａ、５７ｂ、５７ｃ、５７ｄの近傍には、前記保護カバー２５、前記電飾基板２６及び前記枠部材２１が組み立てられた状態で前記電飾基板２６の前記切欠き６５ａ、６５ｂ、６５ｃ、６５ｄに挿入して先端部７５が前記枠部材２１の前記メスネジ部３２２の近傍に当接する突起部７４が突出して形成されている。
【００８９】
前記突起部７４の前記切欠き６５ａ、６５ｂ、６５ｃ、６５ｄに挿入される位置は、前記切欠き６５ａ、６５ｂ、６５ｃ、６５ｄの前記オスネジ部３０２が挿通される位置より前記電飾基板２６の前記側縁側である。
【００９０】
前記枠部材２１には、前記複数の発光ダイオード６７からの照明光を外側に透過させる透光部として、透光レンズ板２２ａ、２２ｂが取り付けられた窓部３３ａ、３３ｂが設けられている。
【００９１】
本実施形態によれば、前記保護カバー２５の前記ネジ挿通孔５７ａ、５７ｂ、５７ｃ、５７ｄの近傍に形成された突起部７４が前記電飾基板２６の前記切欠き６５ａ、６５ｂ、６５ｃ、６５ｄに挿入し、当該突起部７４の先端部７５が前記枠部材２１の前記メスネジ部３２２の近傍に当接するので、保護カバー２５のネジ挿通孔５７ａ、５７ｂ、５７ｃ、５７ｄ及び電飾基板２６の切欠き６５ａ、６５ｂ、６５ｃ、６５ｄに固定用ネジ２７ａ、２７ｂ、２７ｃ、２７ｄのオスネジ部３０２のオスネジ部３０２を連続して挿通して前記保護カバー２５及び前記電飾基板２６を枠部材２１にネジ止めする際に、前記保護カバー２５の前記ネジ挿通孔５７ａ、５７ｂ、５７ｃ、５７ｄの周りの前記切欠き６５ａ、６５ｂ、６５ｃ、６５ｄに重なる部分が、突起部７４により支えられることで、前記固定用ネジ２７ａ、２７ｂ、２７ｃ、２７ｄのネジ頭３０１からの圧力で変形するのを防止ででき、この部分の白化、強度が低下及び破損を防止できる。
【００９２】
尚、本実施形態では、前記保護カバー２５の前記ネジ挿通孔５７ａ、５７ｂ、５７ｃ、５７ｄの近傍に突起部７４を形成し、この突起部７４が前記電飾基板２６の前記切欠き６５ａ、６５ｂ、６５ｃ、６５ｄに挿入して先端部７５が前記枠部材２１（役物ベース）の前記メスネジ部３２２の近傍に当接するように構成したが、変形例として、前記保護カバー２５に突起部７４を形成する代わりに、前記枠部材２１（役物ベース）の前記メスネジ部３２２の近傍に突起部を形成し、この突起部が前記保護カバー２５、前記電飾基板２６及び前記枠部材２１が組み立てられた状態で前記電飾基板２６の前記切欠き６５ａ、６５ｂ、６５ｃ、６５ｄに挿入して当該突起部の先端部が前記保護カバー２５の前記ネジ挿通孔５７ａ、５７ｂ、５７ｃ、５７ｄの近傍に当接するように構成してもよい。
【００９３】
このような変形例でも、前記保護カバー２５の前記ネジ挿通孔５７ａ、５７ｂ、５７ｃ、５７ｄの周りの前記切欠き６５ａ、６５ｂ、６５ｃ、６５ｄに重なる部分が、突起部により支えられることで、前記固定用ネジ２７ａ、２７ｂ、２７ｃ、２７ｄのネジ頭３０１からの圧力で変形するのを防止ででき、この部分の白化、強度が低下及び破損を防止できる。
【００９４】
また、前記保護カバー２４、２５、前記電飾基板２６及び前記枠部材２１には、ネジ止めを行う前の仮固定を行う構造として位置決め用突起４６ａ、４６ｂ、位置決め用突起挿入穴５８ａ、５８ｂ、位置決め用突起挿通孔６６ａ、６６ｂが設を設けたが、仮固定を行う構造は、製造工程上支障がなれれば、特に設けなくともよい。
【００９５】
また、前記保護カバー２４、２５、前記電飾基板２６及び前記枠部材２１の固定用ネジによりネジ止めを行う位置は、互いに離れた２個所以上に設けることが好ましいが、特に限定はない。
【符号の説明】
【００９６】
１……遊技機、２０……左下側周辺役物ユニット、
２１……枠部材（板状部材）、
２２ａ、２２ｂ……透光レンズ板（板状部材）、
２３ａ、２３ｂ、２３ｃ……普通入賞口外側ユニット、
２４、２５……保護カバー、２６……電飾基板、
２７ａ、２７ｂ、２７ｃ、２７ｄ……固定用ネジ、３３ａ、３３ｂ……窓部、
５７ａ、５７ｂ、５７ｃ、５７ｄ……ネジ挿通孔、
６５ａ、６５ｂ、６５ｃ、６５ｄ……切欠き、
６７……発光ダイオード、６８……コネクタメス部、
１０１……遊技盤、１０７ａ、１０７ｂ、１０７ｃ……普通入賞口、
３０２……オスネジ部、３０２……オスネジ部、３２２……メスネジ部、
３３１……印刷配線
【図１】
2010264006.tif 000003
【図２】
2010264006.tif 000004
【図３】
2010264006.tif 000005
【図４】
2010264006.tif 000006
【図５】
2010264006.tif 000007
【図６】
2010264006.tif 000008
【図７】
2010264006.tif 000009
【図８】
2010264006.tif 000010
【図９】
2010264006.tif 000011
【図１０】
2010264006.tif 000012
【図１１】
2010264006.tif 000013